(57)【要約】【課題】ベルト本体のバックルへの係止状態を確実に保持する。【解決手段】可撓性を有した帯状のベルト本体３と、該ベルト本体３の基端に設けられたバックル５とを備え、前記ベルト本体３の先端側を前記バックル５に係止可能とする衣服用ベルト具１において、前記ベルト本体３は、前記先端側の裏面に凹凸状の複数の係止部７が連設され、前記バックル５は、中間部２３ａが揺動可能に支持されて該揺動により一端部２３ｃが前記係止部７に係合可能な係止片２３と、該係止片２３の他端部２３ｄに対向し該他端部２３ｄを引きつけて前記係止片２３を揺動させ前記一端部２３ｃの前記係止部７に対する係合を付勢する永久磁石２９とを備えたことを特徴とする。【選択図】　　　図２
2004135723.tif 000002
【特許請求の範囲】
【請求項１】
可撓性を有した帯状のベルト本体と、該ベルト本体の基端に設けられたバックルとを備え、前記ベルト本体の先端側を前記バックルに係止可能とする衣服用ベルト具において、
前記ベルト本体は、前記先端側の裏面に凹凸状の複数の係止部が連設され、
前記バックルは、中間部が揺動可能に支持されて該揺動により一端部が前記係止部に係合可能な係止片と、該係止片の他端部に対向し該他端部を引きつけて前記係止片を揺動させ前記一端部の前記係止部に対する係合を付勢する永久磁石とを備えたことを特徴とする衣服用ベルト具。
【請求項２】
請求項１記載の衣服用ベルト具であって、
前記係止部は、ベルト本体の長手方向に向いた係合面と傾斜したガイド面とからなり、
前記係止片は、少なくとも前記一端部が前記ガイド面に対応して傾斜していることを特徴とする衣服用ベルト具。
【発明の詳細な説明】
【０００１】
【発明の属する技術分野】
本発明は、ベルト本体の基端に設けられたバックルに、ベルト本体の先端側を係止可能とする衣服用ベルト具に関する。
【０００２】
【従来の技術】
従来の衣服用ベルト具としては、例えば、装着を容易にするなどのためにベルト本体の基端に設けたバックルに、ベルト本体の先端側を挿通するだけで係止できるようにしたものがある。
【０００３】
前記ベルト本体は、先端裏面に凹凸状の複数の係止部が設けられている。前記バックルは、ベルト本体の先端側を挿通するベルト挿通部を備えている。このバックルには、ベルト挿通部内に出没するように回動可能に係止片が設けられている。すなわち、係止片は、バックルに回動可能に取り付けられた操作部に連結され、その回動操作により回動するようになっている。また、係止片は、前記操作部の非回動時であっても操作部への連結部分を支点として揺動自在になっている。
【０００４】
このような衣服用ベルト具では、係止片を予めベルト挿通部内に突出するように回動させておき、ベルト挿通部にベルト本体の先端を挿通する。この状態で、ベルト本体の先端側をさらに引き込むとベルト本体の先端側及び係止部が係止片を押圧して揺動させる。この揺動により係止片は順次係止部を乗り越える。所望の位置でベルト本体の引き込みを止めたときに係止片が係止部に係合する。この結果、衣服用ベルト具では、バックルにベルト本体の先端側を挿入するだけで該ベルト本体をバックルに係止させることができ、その装着を容易に行うことができる（例えば、特許文献１参照）。
【０００５】
【特許文献１】
実公昭４６−２７６２８号
【０００６】
【発明が解決しようとする課題】
しかしながら、上記従来の衣服用ベルト具では、係止片が操作部の非回動時であっても操作部への連結部分を支点として揺動自在になっているため、係止部に係合した状態で揺動することがある。このため、係止片の係止部への係止が容易に解除され、ベルト本体のバックルに対する係止状態が外れ易くなっていた。
【０００７】
そこで、本発明は、ベルト本体のバックルへの係止状態を確実に保持することができる衣服用ベルト具の提供を目的とする。
【０００８】
【課題を解決するための手段】
上記目的を達成するために請求項１の発明は、可撓性を有した帯状のベルト本体と、該ベルト本体の基端に設けられたバックルとを備え、前記ベルト本体の先端側を前記バックルに係止可能とする衣服用ベルト具において、前記ベルト本体は、前記先端側の裏面に凹凸状の複数の係止部が連設され、前記バックルは、中間部が揺動可能に支持されて該揺動により一端部が前記係止部に係合可能な係止片と、該係止片の他端部に対向し該他端部を引きつけて前記係止片を揺動させ前記一端部の前記係止部に対する係合を付勢する永久磁石とを備えたことを特徴とする。
【０００９】
請求項２の発明は、請求項１記載の衣服用ベルト具であって、前記係止部は、ベルト本体の長手方向に向いた係合面と傾斜したガイド面とからなり、前記係止片は、少なくとも前記一端部が前記ガイド面に対応して傾斜していることを特徴とする。
【００１０】
【発明の効果】
請求項１の発明によれば、可撓性を有した帯状のベルト本体と、該ベルト本体の基端に設けられたバックルとを備え、前記ベルト本体の先端側を前記バックルに係止可能とする衣服用ベルト具において、前記ベルト本体は、前記先端側の裏面に凹凸状の複数の係止部が連設され、前記バックルは、中間部が揺動可能に支持されて該揺動により一端部が前記係止部に係合可能な係止片と、該係止片の他端部に対向し該他端部を引きつけて前記係止片を揺動させ前記一端部の前記係止部に対する係合を付勢する永久磁石とを備えている。
【００１１】
従って、係止片の一端部の係止部に対する係合を、永久磁石により付勢することにより確実に保持することができる。この結果、バックルへのベルト本体の係止状態を確実に保持することができる。
【００１２】
請求項２の発明によれば、請求項１の発明の効果に加え、前記係止部は、ベルト本体の長手方向に向いた係合面と傾斜したガイド面とからなり、前記係止片は、少なくとも前記一端部が前記ガイド面に対応して傾斜している。
【００１３】
従って、係止片の一端部が、係合面により係止部に確実に係合すると共にベルト本体の先端側を引いたときガイド面によって円滑にガイドされ次の係止部に容易に移行することができる。このため、ベルト本体のバックルへの係止状態の保持を行うことができながら、その装着をより容易に行うことができる。
【００１４】
【発明の実施の形態】
以下、本発明に係る衣服用ベルト具の一実施形態について図面を参照して説明する。図１は本発明の一実施形態に係る衣服用ベルト具を示す斜視図、図２（ａ）は図１に示す衣服用ベルト具の断面図、図２（ｂ）は図２（ａ）に示す衣服用ベルト具のベルト本体を矢印Ａ方向に引いたときの断面図、図２（ｃ）は図２（ａ）に示す衣服用ベルト具のベルト本体のバックルへの係止を解除するときの断面図である。
【００１５】
本実施形態の衣服用ベルト具１は、図１及び図２（ａ）に示すように、長尺帯状のベルト本体３と、該ベルト本体３の長手方向基端に設けられたバックル５とを備えている。
【００１６】
ベルト本体３は、例えば、牛皮などの動物の皮や塩化ビニールなどの合成樹脂などからなり、可撓性を有している。このベルト本体３は、先端側の裏面に長手方向に沿って凹部３ａが設けられ、その凹部３ａ内に複数の係止部７が連設されている。
【００１７】
前記複数の係止部７は、硬質ゴムなどからなり、ベルト本体３の長手方向に所定の間隔を有して配置されている。これらの係止部７は、それぞれ前記凹部３ａの底面から突出する凸状に形成され、全体として凹凸状となっている。そして、各係止部７は、ベルト本体３の長手方向の基端側に向いた係合面７ａと同先端側へ傾斜したガイド面７ｂとからなっている。
【００１８】
前記係合面７ａは、図２（ａ）に示すように、凹部３ａの底面から起立し、前記凹部３ａの開口に至るまでベルト本体３の長手方向に対して略直交して形成されている。前記ガイド面７ｂは、係合面７ａの先端から凹部３ａの底面へ向かって傾斜形成されている。
【００１９】
前記バックル５は、鉄などの金属からなり、図１に示すように、ベルト本体３の基端に取付部９を介して取り付けられている。このバックル５は、矩形板状のバックル本体１１に、幅方向（図１においては上下方向）の両側から長手方向に沿って裏面側（図１においては手前側）に向けて壁部１３が突設されている。これらの壁部１３間により、図２（ａ）に示すようにバックル５にはベルト本体３の先端側を挿通するベルト挿通部１５が形成されている。
【００２０】
前記バックル５の壁部１３には、図１及び図２（ａ）に示すように、該壁部１３の長手方向一側（図１においては左右方向右側）においてそれぞれ支持部１７が設けられている。そして、バックル５には、それらの支持部１７にベルト本体取付部９が取付軸１９を介して回転可能に支持されている。このベルト本体取付部９にベルト本体３の基端が支持されている。また、壁部１３は、長手方向中間部間に掛け渡すように中間壁部２１が設けられている。
【００２１】
前記バックル５の壁部１３には、中間壁部２１に対し壁部１３の長手方向他側（図１においては左右方向左側）において係止片２３が揺動自在に支持されている。すなわち、前記壁部１３に、一対の軸受部２５が対向するように設けられている。これらの軸受部２５には、支持軸２７が挿通されて軸回転可能に支持されている。支持軸２７には、一端に操作レバー２７ａが設けられている。従って、支持軸２７は操作レバー２７ａによって回転操作できるようになっている。この支持軸２７に前記係止片２３が支持されている。
【００２２】
前記係止片２３は、鉄などの磁性材金属からなり板状に形成されている。この係止片２３は、長手方向の中間部２３ａの幅方向両側に貫通孔を有したアーム部２３ｂが形成されている。この係止片２３は、アーム部２３ｂの貫通孔に支持軸２７を挿通させることによりバックル５に支持されている。そして、前記一方（図１において上側）のアーム部２３ｂは、貫通孔（図示せず）が例えば矩形に形成され、この貫通孔を挿通する部分で支持軸２７も断面矩形に形成されている。従って、アーム部２３ｂが支持軸２７に回転方向に係合するようになっている。これにより係止片２３は、支持軸２７に対して結合され、前記操作レバー２７ａの操作による支持軸２７の回転に連動して揺動できるようになっている。
【００２３】
前記係止片２３の長手方向の一端部２３ｃは、中間部２３ａからベルト本体３の基端側に向けて伸びる矩形板状に形成されている。この一端部２３ｃは、中間部２３ａに対して細く、ベルト本体３の係止部７に対応し形成されている。従って、前記一端部２３ｃは、幅方向寸法が凹部３ａの幅方向の寸法に対して略同一か若干小さく形成され、その先端側が前記係止部７のガイド面７ｂに対応して傾斜している。この一端部２３ｃは、前記係止片２３の揺動により前記ベルト挿通部１５内で係止部７に対し接近離反し係止部７に対し係脱可能となっている。
【００２４】
前記係止片２３の他端部２３ｄは、図２（ａ）に示すように、中間部２３ａから一端部２３ｃと反対側に伸びる矩形板状に形成されており、一端部２３ｃと同様に中間部２３ａに対して細く形成されている。
【００２５】
前記バックル５の壁部１３には、図１及び図２（ａ）に示すように、長手方向の他側（図１において左側）間に永久磁石２９が配置されている。すなわち、バックル５の壁部１３には、該壁部１３の長手方向他側に形成された支持壁部３１が設けられ、その支持壁部３１の中間部に永久磁石２９が支持されている。
【００２６】
前記支持壁部３１は、図２（ａ）に示すように、係止片２３の他端部２３ｄを覆うように形成され、その中間部に円形の開口３１ａが貫通形成されている。
【００２７】
前記永久磁石２９は、開口３１ａよりも大きい径を有した円柱形状に形成され、上面を除く三方が金属製等のカバー２９ａにより覆われている。永久磁石２９は、前記開口３１ａを覆うように支持壁部３１の下面側に固定されている。この永久磁石２９の支持壁部３１への固定は、カバー２９ａの上面側縁部に設けられた固定用の爪を、支持壁部３１に設けられた固定用の孔に係合させることにより行われている。
【００２８】
このように支持壁部３１に支持された永久磁石２９は、係止片２３の他端部２３ｄに支持壁部３１の開口３１ａを介して対向し、係止片２３の他端部２３ｄをその磁力により引きつけて係止片２３を揺動させ、前記一端部２３ｃがベルト挿通部１５内に引き込まれたベルト本体３の係止部７に当接するように付勢する。
【００２９】
上記衣服用ベルト具１を装着するときには、図１及び図２（ａ）に示すように、予めベルト本体３の先端側をバックルのベルト挿通部１５内に挿通して全体として環状としておき、この状態でベルト本体３の先端側を矢印Ａ方向に引く。
【００３０】
前記ベルト本体３の先端側を矢印Ａ方向に引くと、バックル５の係止片２３の一端部２３ｃが永久磁石２９の付勢力に抗して揺動しながらベルト本体３の複数の係止部７を乗り越えていく。すなわち、図２（ｂ）に示すように、ベルト挿通部１５内で係止部７側に付勢されている係止片２３の一端部２３ｃは、ベルト本体３の先端側を矢印Ａ方向に引いたとき係止部７のガイド面７ｂによってガイドされながら永久磁石２９の付勢力に抗して係止部７に乗り上げていく。そして、一端部２３ｃは、頂点を乗り越えると永久磁石２９の付勢力により図２（ａ）のように復帰して係止部７の係合面７ａに係合する。このため、一端部２３ｃは、係止部７の係合面７ａに対する係合が永久磁石２９により付勢される。
【００３１】
そして、ベルト本体３の先端側をさらに矢印Ａ方向に引いている場合には次の係止部７に移行してその係止部７を係止片２３の一端部２３ｃが前記同様に乗り越え、終了している場合には前記一端部２３ｃの係止部７への係合によりバックル５にベルト本体３の先端側が係止されることとなる。
【００３２】
このように衣服用ベルト具１では、バックル５にベルト本体３の先端側を挿通して矢印Ａ方向に引くだけで所望の位置で係止することができ、その装着を容易に行うことができる。また、衣服用ベルト具１では、係止片２３の一端部２３ｃに係止部７に対する係合が、永久磁石２９により付勢されているため、その係合を確実に保持することができる。この結果、バックル５へのベルト本体３の先端側の係止状態を確実に保持することができる。
【００３３】
また、衣服用ベルト具１では、係止片２３の一端部２３ｃが、係合面７ａにより係止部７に確実に係合されると共にベルト本体３の先端側を矢印Ａ方向に引いたときガイド面７ｂによって円滑にガイドされ、次の係止部７に容易に移行することができる。従って、衣服用ベルト具１では、ベルト本体３の先端側のバックル５への係止状態の保持を行うことができながら、その装着をより容易に行うことができる。
【００３４】
また、衣服用ベルト具１では、係止片２３の一端部２３ｃの係止部７への係合を永久磁石２９により付勢するので、長年使用した場合などであってもがたつきなく安定した付勢力を得ることができる。
【００３５】
前記装着した衣服用ベルト具１を取り外す場合には、図２（ｃ）のように係止片２３を支持する支持軸２７を図１に示す操作レバー２７ａを回転操作することにより、前記係止片２３を永久磁石２９の付勢力に抗して強制的に揺動させる。すると、係止片２３の一端部２３ｃの係止部７への係合が解除され、ベルト本体３のバックル５への係止状態が解除される。この状態でベルト本体３を矢印Ａ方向と逆の矢印Ｂ方向に引くと、ベルト本体３の先端側をバックル５から容易に取り外して衣服用ベルト具１を取り外すことができる。
【００３６】
以上、本発明に係る衣服用ベルト具の実施形態について説明したが、本発明はこれに限定されるものではなく、構成の要素に付随する各種の設計変更が可能である。例えば、上記実施形態では、係止部７を係合面７ａと傾斜したガイド面７ｂとで構成したが、ガイド面を有しない構成としてもよい。この場合、係止片２３の一端部２３ｃをガイド面７ｂに沿って傾斜させなくてもよい。
【図面の簡単な説明】
【図１】図１は本発明の一実施形態に係る衣服用ベルト具の斜視図である。
【図２】図２（ａ）は図１に示す衣服用ベルト具の断面図、図２（ｂ）は図２（ａ）に示す衣服用ベルト具のベルト本体を矢印Ａ方向に引いたときの断面図、図２（ｃ）は図２に示す衣服用ベルト具取り外すときの断面図である。
【符号の説明】
１　衣服用ベルト具
３　ベルト本体
５　バックル
７　係止部
７ａ　係合面
７ｂ　ガイド面
２３　係止片
２３ａ　中間部
２３ｃ　一端部
２３ｄ　他端部
２９　永久磁石
【図１】
2004135723.tif 000003
【図２】
2004135723.tif 000004